(57)【特許請求の範囲】
【請求項１】
リフトアームを旋回自在に支持する支柱に、ベッド側に配置するベッド側脚部と、ベッドから外側に突出する状態で床面に載置する外側脚部とを備えてある介護用リフトであって、
前記ベッド側脚部と前記外側脚部とを、前記支柱のまわりに放射状に並ぶように形成し、
前記外側脚部を、全長にわたって床面に載置するように、かつ、横断面視での高さが横幅より小の偏平形状に形成して、ベッドの横外側に配置するように形成してあり、
前記ベッド側脚部として、ベッドの短辺側に沿わせるように形成した第１ベッド側脚部と、ベッドの長辺側に沿わせるように形成した第２ベッド側脚部とを備える介護用リフト。
【請求項２】
リフトアームを旋回自在に支持する支柱に、ベッド側に配置するベッド側脚部と、ベッドから外側に突出する状態で床面に載置する外側脚部とを備えてある介護用リフトであって、
前記ベッド側脚部と前記外側脚部とを、前記支柱のまわりに放射状に並ぶように形成し、
前記外側脚部として、ベッドの横外側に配置するように形成した第１外側脚部と、ベッドの長手方向での外側に配置するように形成した第２外側脚部とを備えさせ、
前記第１外側脚部及び前記第２外側脚部を、全長にわたって床面に載置するように、かつ、横断面視での高さが横幅より小の偏平形状に形成し、
前記ベッド側脚部として、ベッドの短辺側に沿わせるように形成した第１ベッド側脚部と、ベッドの長辺側に沿わせるように形成した第２ベッド側脚部とを備えるとともに、前記第２ベッド側脚部を前記支柱に対して前記第２外側脚部とは反対側に位置するように配置してある介護用リフト。
【請求項３】
前記外側脚部の上面を、外側脚部の横断面視で上側に膨らむ湾曲面に形成してある請求項１又は２記載の介護用リフト。
【請求項４】
前記ベッド側脚部を、ベッドによって支持されない状態で床面に単独で載置するように構成してある請求項１〜３のいずれか１項に記載の介護用リフト。
【請求項５】
前記ベッド側脚部の先端部にのみ床面に載置する載置部を備えてある請求項１〜４のいずれか１項に記載の介護用リフト。
【発明の詳細な説明】
【０００１】
【発明の属する技術分野】
本発明は、ベッドの近くに設置して病人とか怪我人とかの被介護人をベッドから車椅子やトイレなどに移動させたり、ベッドに戻したりする介護用リフト、詳しくは、リフトアームを旋回自在に支持する支柱に、ベッド側に配置するベッド側脚部と、ベッドから外側に突出する状態で床面に載置する外側脚部とを備えてある介護用リフトに関する。
【０００２】
【従来の技術】
上記介護用リフトにおいて、従来、たとえば特開平７−１４４００９号公報に示されるように、ベッドから外側に突出する外側脚部が角材で成るなど、床面上の障害物になりがちなものであった。
【０００３】
【発明が解決しようとする課題】
従来、たとえば被介護人を車椅子に乗せて移動する際に車輪が外側脚部に当たると、外側脚部を乗り越えて前進したり、後進したりできなくなるとか、外側脚部がストッパーになって向き変更がしにくくなることがあった。また、介護人の歩行障害になることもあった。
本発明の目的は、被介護人を安定よく移動させられながら車椅子や介護者の移動障害になりにくい介護用リフトを提供することにある。
【０００４】
【課題を解決するための手段】
目的達成のために、請求項１に記載の発明は、冒頭に記した介護用リフトにおいて、前記ベッド側脚部と前記外側脚部とを、前記支柱のまわりに放射状に並ぶように形成し、前記外側脚部を、全長にわたって床面に載置するように、かつ、横断面視での高さが横幅より小の偏平形状に形成して、ベッドの横外側に配置するように形成してあり、前記ベッド側脚部として、ベッドの短辺側に沿わせるように形成した第１ベッド側脚部と、ベッドの長辺側に沿わせるように形成した第２ベッド側脚部とを備える。
すなわち、外側脚部がベッドから外側に突出する状態で床面に載置してリフトアームをベッドの外側に旋回させても支柱などを安定よく支持するものであり、かつ、前記偏平形状のために車椅子とか介護者とかが乗り越えやすいとか引っ掛かりにくい状態でベッド外に突出するものであるから、被介護人を安定よく移動させられる割りには外側脚部の存在にかかわらず車椅子を自由に移動させたり、介護者がつまずきにくいように歩行したりできるように有利に使用できる。
被介護人をベッド側で吊り上げた際、両ベッド側脚部がベッドに対する前記配置のために支柱を極く安定的に支持する。
請求項２記載の発明は、冒頭に記した介護用リフトにおいて、前記ベッド側脚部と前記外側脚部とを、前記支柱のまわりに放射状に並ぶように形成し、前記外側脚部として、ベッドの横外側に配置するように形成した第１外側脚部と、ベッドの長手方向での外側に配置するように形成した第２外側脚部とを備えさせ、前記第１外側脚部及び前記第２外側脚部を、全長にわたって床面に載置するように、かつ、横断面視での高さが横幅より小の偏平形状に形成し、前記ベッド側脚部として、ベッドの短辺側に沿わせるように形成した第１ベッド側脚部と、ベッドの長辺側に沿わせるように形成した第２ベッド側脚部とを備えるとともに、前記第２ベッド側脚部を前記支柱に対して前記第２外側脚部とは反対側に位置するように配置してある。
すなわち、外側脚部がベッドから外側に突出する状態で床面に載置してリフトアームをベッドの外側に旋回させても支柱などを安定よく支持するものであり、かつ、前記偏平形状のために車椅子とか介護者とかが乗り越えやすいとか引っ掛かりにくい状態でベッド外に突出するものであるから、被介護人を安定よく移動させられる割りには外側脚部の存在にかかわらず車椅子を自由に移動させたり、介護者がつまずきにくいように歩行したりできるように有利に使用できる。
前記外側脚部として、ベッドの横外側に配置するように形成した第１外側脚部と、ベッドの長手方向での外側に配置するように形成した第２外側脚部とを備えてあるから、被介護人をベッド横側の車椅子とかベッド後側のトイレなどベッド外のどこに移動させても、両方の外側脚部によって支柱などを安定的に支持させることができ、被介護人をベッド外の各箇所に安定よく移動させられるように、しかも、いずれの外側脚部も障害物になりにくいように有利に使用できる。
前記ベッド側脚部として、ベッドの短辺側に沿わせるように形成した第１ベッド側脚部と、ベッドの長辺側に沿わせるように形成した第２ベッド側脚部とを備えるとともに、前記第２ベッド側脚部を前記支柱に対して前記第２外側脚部とは反対側に位置するように配置してあるから、被介護人をベッド側で吊り上げた際、両ベッド側脚部がベッドに対する前記配置のために支柱を極く安定的に支持する。その割りには、第２ベッド側脚部と第２外側脚部との前記位置関係により、第２ベッド側脚部をベッドの内側に入り込ませて支柱をベッドに極力近づけ、リフトアームを強度面とか安定面などで有利な極力短尺のアームにしながら被介護人に届くようにでき、ベッド側脚部による支持作用の面からも、リフトアームの強度面や安定面からも、被介護人を安定よく移動させられる。
【０００５】
請求項３に記載の発明によれば、前記外側脚部の上面を外側脚部の横断面視で上側に膨らむ湾曲面に形成してある。すなわち、外側脚部の横断面視での横端部に面取りなどの傾斜面部を備えさせることによっても、車椅子が外側脚部を比較的乗り越えやすいようにできるが、この場合、外側脚部の上面が傾斜面部と、この傾斜面部に続く平坦面部との間で折れ曲がる屈曲面になり、乗り上がり抵抗が比較的大きくなったり、乗り越え時に振動が出やすくなったりする。これに比べ、乗り上がり抵抗が小さくなるように、乗り越え振動が出にくいように滑らかに湾曲する湾曲上面を備えるものだから、車椅子を外側脚部をよりスムーズに乗り越えて一層楽に移動させられる。
【０００６】
請求項４に記載の発明によれば、前記ベッド側脚部をベッドによって支持されない状態で床面に単独で載置するように構成してある。すなわち、ベッド側脚部をベッドの基台に連結するとか、脚部の下敷きにするとかしてベッドに支持させるように構成すると、ベッドによっては、基台まで届かないとか脚部が乗らないなどベッドと仕様が合わなくて使用できないことがある。これに対し、ベッド側脚部をベッドに支持させないで単独で床面に載置するものだから、ベッドに連結する必要がなく、既に使用されている各種仕様のベッドにも使用できる便利なものになる。
【０００７】
請求項５に記載の発明によれば、前記ベッド側脚部の先端部にのみ床面に載置する載置部を備えてあるから、ベッド側脚部を角パイプ材とか丸パイプ材などで外側脚部に比して安価に作成しながら先端部のみでの床面への載置によって安定よく支持作用するようにでき、外側脚部による障害が生じにくいものを比較的安価に得られる。
【００１０】
【発明の実施の形態】
図１に示すように、太い２本の脚部１，２と細い２本の脚部３，４の計４本の脚部を備える支柱５の上端部に、ハンガー６が先端部に連結するリフトアーム７の基端部を連結するとともに、このリフトアーム７の基端側と前記支柱５の中間部とにわたってリフトシリンダ８を取り付けて、介護用リフトを構成してある。この介護用リフトは、ベッドＢの近くに設置し、病人、怪我人、障害者などの被介護人をベッドＢからその外側に位置する車椅子とかトイレとかに移動させたり、ベッドＢに戻したりするものであり、詳しくは次の如く構成してある。
【００１１】
図２に明示するように、４本の脚部１〜４は、支柱５のまわりに約９０度の脚部間隔を隔てて放射状に並ぶように形成し、太い２本の脚部１，２のうちの一方の脚部１がベッドＢからその横外側に突出する状態で床面Ｆに載置する第１外側脚部になり、他方の脚部２がベッドＢからその長手方向での外側に突出する状態で床面Ｆに載置する第２外側脚部になり、細い２本の脚部３，４のうちの一方の脚部３がベッドＢの方にその短辺側に沿わせて配置して床面Ｆに載置する第１ベッド側脚部になり、他方の脚部４がベッドＢの方にその長辺側に沿わせて配置して床面Ｂに載置する第２ベッド側脚部になるようにしてある。
【００１２】
第１外側脚部１と第２外側脚部２のいずれもは、図１、図２および図４に示す如く脚部１，２の全長にわたる長さを有する平板金でなる底板ＢＰと、脚部１，２のほぼ全長よりもやや短い長さを有するとともに脚部１，２の横断面視で上側に膨らむ湾曲板に形成した板金でなる上板ＵＰと、この上板ＵＰと底板ＢＰとの間に位置して両者ＵＰ，ＢＰを連結する折曲げ板金でなる補強材Ｋと、脚部先端側の底板ＢＰと上板ＵＰとの間の開口を閉じる先端材Ｓとによって形成してある。すなわち、必要な強度を備える割りには軽量な中空脚部に形成してある。さらに、底板ＢＰの下側面でなる載置面１ａ，２ａによって脚部１，２の全長にわたって床面Ｆに載置するように、かつ、横断面視で高さＨが横幅Ｗよりも小の偏平形状になるように形成してある。さらには、上面１ｂ，２ｂを上板ＵＰの上側面でなる湾曲面に形成してある。すなわち、脚部１，２の横断面視で上向きに膨らむ湾曲面に形成してある。
【００１３】
第１ベッド側脚部３と第２ベッド側脚部４のいずれもは、外側脚部１，２の基端部に支柱５とベッド側脚部３，４との取付け用に連結している図１に示す如き連結体９の組付け孔に基端側を着脱自在に挿入するとともに連結ボルト（図示せず）によって締め付け固定した図５の如き角パイプ材で形成し、そして、このパイプ材の先端部のみにゴムとかプラスチックとかの弾性材で成る円形載置体を付設して形成した図１および図６の如き載置部３ａ，４ａによってベッドＢの下側で床面Ｆに載置するように形成してある。第２ベッド側脚部４は、支柱５に対して第２外側脚部２とは反対側に位置するように前記連結体９の支柱５よりも第１ベッド側脚部３の方に位置する組付け孔から延出してある。
【００１４】
図５に明示するように、前記載置部３ａ，４ａは、これから延出する取り付けボルト２３によって高さ調節自在にベッド側脚部３，４に取り付けてある。
【００１５】
図１に示すように、前記各脚部１〜４を備える下側支柱５ａと、この下側支柱５ａに下端側部分が回動自在に入り込んでいるとともにこの下端側部分よりも上端側の部分に前記リフトアーム７およびリフトシリンダ８を備えている上側支柱５ｂとによって前記支柱５を形成してある。これにより、下側支柱５ａがリフトアーム７およびリフトシリンダ８を支柱５の軸芯まわりで上側支柱５ｂと共に旋回操作できるように支持している。
【００１６】
図７に明示するように、前記上側支柱５ｂにアーム連結ブラケット１０を備えさせ、このアームブラケット１０のフック部に係脱操作できるように構成してリフトアーム７の基端部に備えさせてある連結ピン１１を前記フック部に回動自在に係合させることにより、リフトアーム７の基端部を上側支柱５ｂに連結ピン１１の水平向き軸芯のまわりで回動自在に連結してある。図１に示すように、前記リフトシリンダ８のシンダ本体を前記上側支柱５ｂが備えるシリンダ連結ブラケット１２に連結ピン１３の軸芯まわりで回動自在に連結し、リフトシリンダ８のシリンダロッド８ａをリフトアーム７が備えるシリンダ連結ブラケット１４に連結ピン１５の軸芯まわりで回動自在に連結してある。前記リフトシリンダ８は、シリンダ本体に内装した正逆回転操作自在な電動モータ（図示せず）と、この電動モータによって駆動されるネジ機構（図示せず）とを備え、電動モータを駆動すると、ネジ機構の送り作用によってシリンダロッド８ａがシリンダ本体から突出する方向に摺動したり、シリンダ本体に引退する方向に摺動したりする電動シリンダに構成してある。これにより、前記電動モータを駆動操作すると、リフトシリンダ８が伸長作動してリフトアーム７を連結ピン１１の軸芯まわりで上昇揺動操作することによってハンガー６を上昇操作し、リフトシリンダ８が短縮作動してリフトアーム７を連結ピン１１の軸芯まわりで下降揺動操作することによってハンガー６を下降操作する。
【００１７】
図８に明示するように、前記アーム連結ブラケット１０に、リフトアーム７に作用する外止めフックＦＫを備え、アーム連結ブラケット１０に連結したリフトアーム７が外れることを防止できるようにしてある。すなわち、アーム連結ブラケット１０が枢支ピンａを介して揺動自在に外止めフックＦＫを枢支している。リフトアーム７をアーム連結ブラケット１０に連結する際、連結ピン１１が外止めフックＦＫをアーム連結ブラケット１０に対して上昇揺動するように押し上げ操作しながらアーム連結ブラケット１０のピン連結用切欠きに入り込んでいく。連結ピン１１がアーム連結ブラケット１０のピン連結用切欠きの奥側に入り込んだ連結姿勢になると、外止めフックＦＫが自重によって下降揺動して連結ピン１１に引っ掛かり、連結ピン１１をピン連結用切欠きから抜け出ないように受け止め支持する。リフトアーム７をアーム連結ブラケット１０から取り外す際には、外止めフックＦＫをこれの遊端側に位置する操作ピンｂによってアーム連結ブラケット１０対して上昇するように揺動操作する。すると、外止めフックＦＫが連結ピン１１から外れるとともにアーム連結ブラケット１０のピン連結用切欠きを開放し、連結ピン１１がブラケット１０から抜け外れることを可能にする。
【００１８】
ハンガー６とリフトアーム７の先端部とは連結具１６を介して連結してある。この連結具１６は、リフトアーム７に対しては水平向き軸芯のまわりで自由に回動するように連結し、ハンガー６に対しては上下向き軸芯のまわりで自由に回動するように連結してある。ハンガー６は、両端側にフック６ａを備え、このフック６ａによって図３に示す如く被介護人吊上げシート１７を引っ掛けて吊り上げるようにしてある。これにより、リフトアーム７が上下に揺動操作されてハンガー６を昇降操作しても、ハンガー６は吊り上げ用シート１７が支持する被介護人の重量とかハンガー６の重量とかのために前記水平向き軸芯のまわりでリフトアーム７に対して自ずと揺動して水平姿勢を維持する。また、ハンガー６を前記上下向き軸芯のまわりで回動操作することにより、ハンガー６のリフトアーム７に対する取付け向きを自由に変更できる。
【００１９】
つまり、この介護用リフトは、図２および図３に示す如くベッドＢの近くに設置するとともに操作して介護人の移動を行うのである。
すなわち、第１ベッド側脚部３と第２ベッド側脚部４とをベッドＢの横側から下方に差し入れてベッドＢの脚部などに連結せず、第１ベッド側脚部３がベッドＢの内側でその短辺側に沿う姿勢でベッドＢには支持されないで単独で載置部３ａによって床面Ｆに載置し、第２ベッド側脚部４がベッドＢの内側でその長辺側に沿う姿勢でベッドＢには支持されないで単独で載置部４ａによって床面Ｆに載置し、第１外側脚部１がベッドＢから横外側に突出して載置面１ａによって床面Ｆに載置し、第２外側脚部２がベッドＢから前側または後側に突出して載置面２ａによって床面Ｆに載置するように設置する。第１外側脚部１および第２外側脚部２はベッドＢの外側に突出するが、その横断面形状が前記偏平形状であることと、上面１ｂ，２ｂが前記湾曲面であることとにより、車椅子が乗り上がりやすいとともに振動が出にくいように乗り越えていきやすいとか介護者がつまずきにくいなど床面上の障害物になりにくい状態で設置できる。
【００２０】
そして、リフトアーム７を人為操作力によってシリンダ８と共に下側支柱５ａに対して旋回操作して、ハンガー６を旋回移動させてそのフック６ａが支持する吊上げシート１７をベッドＢの上や外側に移動させ、リフトアーム７をリフトシリンダ８によって上下に揺動操作して、ハンガー６を昇降させて吊上げシート１７をベッドＢの上や外側で昇降させることにより、被介護人を吊上げシート１７に載せてベッドＢから吊り上げるとともにベッドＢの外側に置いてある車椅子とかトイレなどに移動させて下降させたり、車椅子とかトイレなどから吊り上げるとともにベッドＢの上に戻して下降させたりする。
【００２１】
図１に示すように、リフトシリンダ８のシリンダロッド８ａは、前記シリンダ連結ブラケット１４が前記連結ピン１５を介して回動自在に支持する連結具１８に連結することによってシリンダ連結ブラケット１４に連結するように構成してある。図７に明示するように、前記連結具１８は、これの一端側に開口するロッド挿入穴１８ａを有する筒状体に形成し、シリンダロッド８ａの端部に外嵌することによってシリンダロッド８ａを連結できるように、シリンダロッド８ａから抜き外すことによってシリンダロッド８ａの連結を解除できるように構成してある。図７に明示するように、上側支柱５ｂのリフトシリンダ８を連結する前記シリンダブラケット１２は、リフトシリンダ８の本体が備える前記連結ピン１３に係止作用するフックに形成し、連結ピン１３を引っ掛けることによってシリンダ本体を連結でき、連結ピン１３を抜き外すことによってシリンダ本体の連結を解除できるように構成してある。リフトシリンダ８が前記連結具１８およびシリンダ連結ブラケット１２から外れて落下することを防止するコイル状の落下止めケーブル１９をリフトシリンダ８の本体と、上側支柱５ｂが備えるブラケット２０とにわたって取り付けてある。この落下止めケーブル１９のシリンダ側は、シリンダ本体の筒状部に外嵌して締め付け固定されるように構成した連結具２１によってシリンダ本体に連結し、支柱側は前記ブラケット２０の連結孔に引っ掛かるように形成したフック２２によってブラケット２０に連結するように構成してある。
【００２２】
つまり、シリンダロッド８ａを連結具１８から、シリンダ本体をブラケット１２から、落下止めケーブル１９のフック２２をブラケット２０からそれぞれ抜き外すだけの簡単な取り外し操作を行うことにより、リフトシリンダ８をこのベッド用の介護用リフトから取り外して浴室など他の箇所に持っていき、この箇所に設置してある入浴用など別の介護用リフトに図７に示す構造と同様の取付け構造によって装着してこの別介護用リフトのリフトアーム昇降操作に使用できるようにしてある。
【００２３】
〔別実施形態〕
図９は、別実施形態を備える介護用リフトを示し、前側または後側を壁２４の近くに配置して設置されるベッドＢの場合に使用するものである。すなわち、外側脚部として、ベッドＢから横外側に突出する脚部１のみを備えている。この外側脚部１は、図１および図２に示す介護用リフトの第１外側脚部１と同様に構成してあり、全長にわたって床面に載置するように、かつ、横断面視での高さが横幅より小の偏平形状を備えるように構成してある。
【００２４】
図１０はさらに別実施形態のリフトアーム３０を備える介護用リフトを示している。すなわち、図１の上側支柱５ｂと同様に下側支柱５ａに回動自在に支持される上側支柱５ｂの上端部に基端部が連結する基端側リフトアーム３１と、この基端側リフトアーム３１の先端部に基端部が連結するとともに先端部で図１のハンガー６と同様のハンガー６を吊り下げ支持する先端側リフトアーム３２とによってリフトアーム３０を構成してある。前記基端側リフトアーム３１は、上側支柱５ｂが備えるブラケット３３によって水平向きの軸芯Ｐ１まわりで上下揺動自在に支持される上下一対の揺動リンク３１ａ，３１ａと、この一対の揺動リンク３１ａ，３１ａの先端部どうしにわたって連結するとともにいずれの揺動リンク３１ａの先端部に対しても前記軸芯Ｐ１に平行な軸芯Ｐ２まわりで相対回動自在に連結している連結体３４とで成り、平行四連リンク型に構成してある。前記一対の揺動リンク３１ａ，３１ａのうちの下側の揺動リンク３１ａと上側支柱５ｂとにわたって連結している図１の電動リフトシリンダ８と同様の電動シリンダ８が基端側リフトアーム３１を上側支柱５ｂに対して上下に揺動操作することによってリフトアーム３０の全体を昇降操作するようにしてある。先端側リフトアーム３２の基端部を前記連結体３４に対して連結軸３５によってこの連結軸３５の上下向き軸芯Ｐ３のまわりで回動するように連結してある。前記連結軸３５の下端側に握り部３５ａを備えさせ、連結軸３５を手押しハンドルに利用してリフトアーム３０を下側支柱５ａに対して旋回操作できるようにしてある。
【００２５】
つまり、リフトアーム３０を２間接型アームに構成し、旋回操作の際に先端側リフトアーム３２と基端側リフトアーム３１との間で軸芯Ｐ３まわりで腰折れ操作できるように、かつ、昇降操作の際に先端側リフトアーム３２が基端側リフトアーム３１に対して軸芯Ｐ２まわりで腰折れして水平姿勢を維持しながら昇降するようにしてある。
【００２６】
電動シリンダ８は、図７の取付け構造と同様の筒状体製の連結具１８およびフック型の連結ブラケット１２を備える取付け構造によってリフトアーム３０および上側支柱５ｂに連結してあり、シリンダロッド８ａを連結具１８のロッド挿入穴に抜差しするとともにシリンダ本体の連結ピン１３をフック１２に係脱させるだけで操作簡単に装着したり、取り外したりできる。
【図面の簡単な説明】
【図１】介護用リフト全体の斜視図
【図２】介護用リフトの使用状態を示す平面図
【図３】介護用リフトの使用状態を示す後面図
【図４】外側脚部の断面図
【図５】ベッド側脚部の断面図
【図６】ベッド側脚部の先端側部分の側面図
【図７】シリンダ取付け構造の側面図
【図８】リフトアーム外止めフックの説明図
【図９】別実施形態を備える介護用リフト全体の平面図
【図１０】別実施形態を備えるリフトアームの側面図
【符号の説明】
１        第１外側脚部
１ｂ      第１外側脚部の上面
２        第２外側脚部
２ｂ      第２外側脚部の上面
３        第１ベッド側脚部
３ａ      第１ベッド側脚部の載置部
４        第２ベッド側脚部
４ａ      第２ベッド側脚部の載置部
７，３０  リフトアーム
Ｂ        ベッド
Ｆ        床面
Ｈ        外側脚部の高さ
Ｗ        外側脚部の横幅
【図１】
0003879875.tif 000002
【図２】
0003879875.tif 000003
【図３】
0003879875.tif 000004
【図４】
0003879875.tif 000005
【図５】
0003879875.tif 000006
【図６】
0003879875.tif 000007
【図７】
0003879875.tif 000008
【図８】
0003879875.tif 000009
【図９】
0003879875.tif 000010
【図１０】
0003879875.tif 000011